(57)【要約】国家的なモバイル網にはプロキシロケーション（代理位置）レジスタが備えられていて、それぞれの網のアイデンティティと関係付けてユーザのアイデンティティを記憶するのにあてている。ユーザは関係している“モバイルホーム”を有していて呼処理用命令とメッセージとであってボイスメールシステムによって記録されたものを記憶するのにあてている。ユーザが現在のホスト網から訪問した先の網へ移動するときには、ユーザはそのユーザのモバイルホームが現在の位置から（この位置は現在のホスト網で一番ありそうなことであるが）、訪問した先の網へ移動されるように要求してよく、そのユーザにとってのこされているいずれかのメッセージの検索読出しは、網間での国家間の実時間使用を含むことなく行なえるようにできる。さらに、モバイルホームが移動すると、その新しい位置は、呼処理用命令を伴うかあるいは伴わずに、手操作もしくは自動ですべての他の網、もしくはサブセットに、通知されて位置レジスタ更新にあてられる。この位置情報の使用は高価な国際（国家間）リンク上でのトロンボーン作用を回避でき、また呼処理用命令は、接続が宛先網へ試みられているかどうかを判断することが遠隔網にできるようにする。【選択図】図２
2004535689.tif 000002
【特許請求の範囲】
【請求項１】
複数の他の通信網と相互接続された、ある通信網を動作する方法であって、
位置レジスタを設定して、各エントリィがユーザ識別子とそれぞれの網識別子とを含んでいてこの網識別子はそれぞれのユーザが関係しているデータパッケージの位置についての前記通信網に向けた最新の通知を表わしているようにし、また前記通信網に現在置かれている、ユーザが関係しているデータパッケージについてのメモリ記憶を設定する段階と、
被呼ユーザへ向けて発生された呼に対して、該被呼ユーザの識別子に従って該位置レジスタをアクセスすることによって応答し、それぞれの網識別子を検索読出して、さらに該被呼ユーザについての該宛先網が該検索読出しされた識別子に対応している該通信網であるということに基づいて接続設定を実行する段階と、
特定のユーザに関係して移動要求を前記他の通信網から受領するのに応答して、その特定のユーザの関係しているデータパッケージをメモリ記憶から検索読出して、検索読出したデータパッケージを前記他の通信網に向けて送る段階とを備えている方法。
【請求項２】
請求項１記載の方法であって、ある特定のユーザの関係しているデータパッケージが前記通信網に現在置かれているその特定のユーザについての呼を、メッセージ記録用サービスに接続してメッセージを記録する段階と、
これらの記録されたメッセージをその特定のユーザのデータパッケージ内に組入れる段階とを含んでいる方法。
【請求項３】
請求項１または２記載の方法であって、該特定のユーザが関係しかつ位置レジスタ更新情報を含んでいるメッセージを前記他の通信網から受領するのに応答して、それぞれの網識別子を前記他の通信網についての識別子に変更する段階を含んでいる方法。
【請求項４】
請求項１ないし３のいずれか１項記載の方法であって、該ユーザのデータパッケージは呼処理用情報を組入れており、また、
該特定のユーザが関係しかつ呼処理用情報を含んでいるメッセージの受領に応答して該呼処理用情報を記憶する段階と、
該位置レジスタ内の該特定のユーザの識別子を該記憶された呼処理用情報と関係付ける段階とを含んでいて、
ここでもともとの発生された呼に応答する段階は、被呼ユーザと関係付けられた該呼処理用情報を検索読出しすることと、
該検索読出しされた呼処理用情報に従って接続設定を実行することとを含んでいる方法。
【請求項５】
請求項１ないし４のいずれか１項記載の方法であって、
現在前記通信網に訪問者として登録されているあるユーザからの要求であって、その訪問中のユーザが関係しているデータパッケージについて前記通信網に向けて移動するようにとの要求に応答して、その訪問中のユーザの識別子により該位置レジスタにアクセスする段階と、もし対応しているエントリィが存在するときは、
それぞれの網識別子を検索読出す段階と、その訪問中のユーザに関する移動要求を該検索読出した網識別子に対応している該他の通信網に向けて送る段階とを含み、
もしそうでないときは、
少くとも一つの該他の通信網に該訪問中のユーザの関係するデータパッケージを現在記憶している該他の通信網についての網識別子を要求する段階と、
該要求された網識別子を受領すると、該訪問中のユーザの関係する移動要求を該受領した網識別子に対応している該他の通信網に向けて送る段階とを含む方法。
【請求項６】
複数の他の通信網と相互接続された、ある通信網を動作する方法であって、該他の通信網の少くとも一つは請求項１記載の方法で動作しており、訪問者として前記通信網に現在登録されているユーザからの該ユーザの関係しているデータパッケージを前記通信網に向けて移動するようにとする要求に応答して、
該他の通信網の中の少くとも一つに、該訪問中のユーザの関係しているデータパッケージを現在記憶している該他の通信網についての網識別子を要求する段階と、
該要求された網識別子を受領すると、該受領した網識別子に対応している該他の通信網に向けて、該ユーザの関係しているデータパッケージを前記通信網に向けて移動するようにとの要求を送る段階とを含む方法。
【請求項７】
請求項５または６記載の方法であって、該要求を送る段階は、該訪問中のユーザに関する問合せメッセージをその訪問中のユーザのグローバルアドレスに対応している前記他の通信網の中の該一つに向けて送ることを含んでいる方法。
【請求項８】
請求項５ないし７のいずれか１項記載の方法であって、該要求を送る段階は該訪問中のユーザに関する問合せメッセージを前記他の通信網の全部のものに向けて送ることを含んでいる方法。
【請求項９】
請求項４ないし８のいずれか１項記載の方法であって、受領したユーザのデータパッケージから命令を検索読出す段階と、該命令に従って、該通信網の所定の組の各々について修正変更を効果あるものとする段階とを含む方法。
【請求項１０】
請求項９記載の方法であって、修正変更を効果あるものとする段階は、メッセージを生成することと、そのメッセージを、命令を検索読出す段階を実行する該通信網以外の通信網の前記所定の組の各々に向けて、送ることとを含んでいる方法。
【請求項１１】
請求項９または１０記載の方法であって、前記命令は、それぞれの記憶された網識別子を命令を検索読出す該段階を実行する網の識別子に変更することによりそれぞれの位置レジスタを修正変更するための命令を含んでいる方法。
【請求項１２】
請求項９ないし１１のいずれか１項記載の方法であって、前記命令は呼処理用情報を記憶し、かつ該それぞれの位置レジスタへのユーザ識別子エントリィと関係付けて該それぞれの位置レジスタを修正変更するための命令を含んでおり、この関係付けは、該受領したデータパッケージと対応がとれていて、しかも該記憶された呼処理用情報と該エントリィとが関係するものとする方法。
【請求項１３】
複数の他の通信網と相互に動作し、かつグローバルアドレス用機構を採用するようにされた通信網であって、
ユーザが関係するデータパッケージを記憶し、また、それぞれの前記ユーザが関係するデータパッケージの位置についての前記通信網に向けた最新の通知を表わしているそれぞれの網識別子とユーザ識別子とを各々が含んでいるエントリィとを記憶するための手段と、
被呼ユーザに向けて発生された呼に応答して、該被呼者の識別子に従って該記憶するための手段にアクセスし、該それぞれの網識別子を検索読出し、また該被呼ユーザについての宛先網が該検索読出された網識別子に対応している通信網であるということに基づいて接続を設定するようにされた手段と、
ある特定のユーザに関する移動要求を前記他の通信網から受領するのに応答して、該特定されたユーザが関係するデータパッケージをメモリから検索読出し、かつ該検索読出したデータパッケージを前記他の通信網に向けて送るようにされた手段とを備えた通信網。
【請求項１４】
請求項１３記載の通信網であって、メッセージ記録用システムを有し、かつその者のデータパッケージが前記記憶用手段内に現在記憶されている特定のユーザについて、該メッセージ記録用システムにより記録されたメッセージに応答して該特定のユーザのデータパッケージ内部に該記録されたメッセージを組入れるようにされた手段を含む通信網。
【請求項１５】
請求項１３または１４記載の通信網であって、前記他の通信網から該特定されたユーザに関係しかつ位置更新情報を含んでいるメッセージを受領するのに応答して、それぞれの網識別子を前記他の通信網についての識別子に変更するようにされた手段を含む通信網。
【請求項１６】
請求項１３ないし１５のいずれか１項記載の通信網であって、
ユーザのデータパッケージが呼処理用情報を組入れているときに使用にあてられ、また、該特定されたユーザに関し、かつ呼処理用情報を含んでいるメッセージの受領に応答して、該特定されたユーザの識別子と関係している該記憶用手段内に該呼処理用情報を記憶するようにされている手段を含み、
もともとの発生された呼に応答するようにされた前記手段は、さらに該被呼ユーザと関係する呼処理用情報を検索読出し、かつ該検索読出された呼処理用情報に従って接続設定を実行することにより応答する通信網。
【請求項１７】
請求項１３ないし１６のいずれか１項記載の通信網であって、
ある訪問中のユーザからの、該訪問中のユーザの関係するデータパッケージを前記通信網に向けて移動するようにとの要求に応答して、該訪問中のユーザの識別子に従って該記憶用手段にアクセスし、
もし対応しているエントリィが存在するときは、
それぞれの網識別子を検索読出して、かつ該検索読出しされた網識別子に対応している該他の通信網に向けて該訪問中のユーザに関する移動要求を送り、
もしそうでないときは、
少くとも一つの該他の通信網に該訪問中のユーザの関係するデータパッケージを現在記憶している該他の通信網についての網識別子を要求し、該要求された網識別子を受領すると、該訪問中のユーザの関係する移動要求を該受領した網識別子に対応している該他の通信網に向けて送るようにされている手段を含む通信網。
【請求項１８】
少くとも一つが請求項１３記載の他の通信網である、複数の他の通信網と相互に動作するようにされた通信網であって、
前記通信網は、
前記通信網に訪問者として現在登録されているあるユーザからの、該ユーザの関係するデータパッケージを前記通信網に向けて移動するようにとの要求に応答して、
該他の通信網の少くとも一つに、該訪問中のユーザの関係するデータパッケージを現在記憶している該他の通信網についての網識別子を要求し、該要求された網識別子を受領すると、該受領した網識別子に対応している該他の通信網に向けて、該ユーザの関係しているデータパッケージが前記通信網に向けて移動されるようにとの要求を送るようにされた手段を備えている通信網。
【請求項１９】
請求項１７または１８記載の通信網であって、前記網識別子についての該他の通信網の少くとも一つからの要求を作るようにされていて、このためには該訪問中のユーザに関する問合せメッセージを該訪問中のユーザの該グローバルアドレスに対応している前記他の通信網の該一つに向けて送るようにされている通信網。
【請求項２０】
請求項１７ないし１９のいずれか１項記載の網であって、前記網識別子について該他の通信網の少くとも一つの前記要求を作ることを、前記他の通信網のいずれに対しても該訪問中のユーザに関する問合せメッセージを送ることによってするようにされている通信網。
【請求項２１】
請求項１６ないし２０のいずれか１項記載の通信網であって、受領したユーザのデータパッケージから命令を検索読出すようにされ、またこれらの命令に従って、該通信網の所定の組の各々についての修正変更を効果あるものとするようにされた手段を含んでいる通信網。
【請求項２２】
請求項２１記載の通信網であって、該検索読出し及び修正変更用の手段はメッセージを生成し、該メッセージを自己以外の他の該通信網の前記所定の組の各々に向けて送ることによって前記修正変更を効果あるものとするようにされている通信網。
【請求項２３】
請求項２１または２２記載の通信網であって、該検索読出し及び修正変更用手段は、該命令に従って、それぞれの記憶された網識別子をそれ自身の網識別子に変更することによって、それぞれの記憶用手段を修正変更するようにされている通信網。
【請求項２４】
請求項２１ないし２３のいずれか１項に記載の通信網であって、該命令が呼処理用情報を記憶するための命令を含んでいるときに使用され、かつ該検索読出し及び修正変更用手段は関係している記憶手段を、該受領したデータパッケージに対応している記憶手段内のユーザ識別子エントリィと該記憶された呼処理用情報とを関係付けるようにするために、修正変更するようにされている通信網。
【発明の詳細な説明】
【０００１】
【発明の属する技術分野】
この発明は、通信網に係り、限定するわけではないが、とくに、移動（モバイル）電話通信を供給するための通信網と、このような網を動作する方法とに関する。
【０００２】
【従来の技術】
モバイル通信は、その概念として、ユーザのホーム網内部でのユーザのモビリティ（移動性、易動度合）だけでなく、そのユーザと発呼者が通信することができるようにする能力も包含しており、もっともその条件として、ユーザが訪問した網（ｖｉｓｉｔｅｄ ｎｅｔｗｏｒｋ）と呼ばれる遠隔網に移動する、言い換えれば遠隔網に登録をしている場合についてのこととされている。これはローミング（広域移動、歩きまわること）として知られている。全世界的な規模（グローバルスケール）では、グローバルモバイルネットワーク（網）について語ることができて、この網には国際的な（国家間の）リンクによって相互接続された複数の国家的な移動網が含まれている。
【０００３】
発呼者はユーザの地球規模で（グローバリィ）ユニーク（独自のもの）とされる電話番号をダイヤルし、こういった呼はユーザのホーム網へ向けてルート設定がされ、ユーザのホーム網では、レジスタがそこのホーム網と関係している電話番号を有しているすべてのユーザの現在の位置を保存していて、そこでその呼はそのユーザの訪問している網にまで展開される。このことはトロンボーン作用（ｔｒｏｍｂｏｎｉｎｇ）と呼ばれていて、言い換えると、呼がホーム網に入るように進み、それから訪問している網へ向けて出て行くのであり、掛員（ａｔｔｅｎｄａｎｔ）が居る国際的な呼課金と拡張展開された呼設定時間とを伴うものであり、また発呼者がその訪問した網内に居るときにも生ずるようにしている。
【０００４】
【発明が解決しようとする課題】
また、もしローミングしているユーザがその者のホーム網でメッセージサービスへアクセスして、その者のメッセージを検索読出し（ｒｅｔｒｉｅｖｅ）するとしたときに、このメッセージは音声形式であったりマルチメディア形式であったりするが、その各々が実時間で国際リンク上で送られて、輻輳（コンジェスチョン）原因となり得る。
【０００５】
【課題を解決するための手段】
この発明の第一の特徴（アスペクト）によると、複数の他の通信網と相互接続された、ある通信網を動作する方法であって、
位置レジスタ（ロケーションレジスタ）を設定して、各エントリィがユーザ識別子とそれぞれの網識別子とを備えていて、この網識別子はそれぞれのユーザが関係しているデータパッケージの位置についての前記通信網に向けた最新の通知を表わしているようにし、また前記通信網に現在置かれている、ユーザが関係しているデータパッケージについて、メモリ記憶を設定する段階と、
被呼ユーザへ向けて発生された呼に対して、該被呼ユーザの識別子に従って該位置レジスタをアクセスすることによって応答し、それぞれの網識別子を検索読出して、さらに該被呼ユーザについての該宛先網が該検索読出しされた識別子に対応している該通信網であるということに基づいて接続設定を実行する段階と、
特定のユーザに関係して移動要求を前記他の通信網から受領するのに応答して、その特定のユーザの関係しているデータパッケージをメモリ記憶から検索読出して、検索読出したデータパッケージを前記他の通信網に向けて送る段階とを備えている方法が提供されている。
【０００６】
位置レジスタと移動可能なデータパッケージの使用とは上記の状態を緩和することになることは以下に記述するところである。
【０００７】
好ましいのは、この方法が、ある特定のユーザの関係しているデータパッケージが前記通信網に現在置かれているその特定のユーザについての呼を、メッセージ記録用サービスに接続してメッセージを記録する段階と、
これらの記録されたメッセージをその特定のユーザのデータパッケージ内に組入れる段階とを含んでいることである。
【０００８】
ユーザのデータパッケージは網オペレータにとって便利な時に移動することができ、例えば、ホーム網と訪問した網との間でトラヒックが少いときに移動することができ、また移動後には、ユーザはその者のデータパッケージのローカルメモリからその者のメッセージを検索読出しすることができるようになり、このメッセージの実時間検索読出しには国際的リンクを含めなくともよい。
【０００９】
特定のユーザが関係しかつ位置レジスタ更新情報を含んでいるメッセージを前記他の通信網から受領するのに応答して、それぞれの網識別子を前記他の通信網についての識別子に変更する段階を含んでいてよい。
【００１０】
好ましいのは、ユーザのデータパッケージは呼処理用情報を組入れており、また、該特定のユーザが関係しかつ呼処理用情報を含んでいるメッセージの受領に応答して該呼処理用情報を記憶する段階と、
該位置レジスタ内の該特定のユーザの識別子を該記憶された呼処理用情報と関係付ける段階とを含んでいて、
ここでもともとの発生された呼に応答する段階は、被呼ユーザと関係付けられた該呼処理用情報を検索読出しすることと、
該検索読出しされた呼処理用情報に従って接続設定を実行することとを含んでいる方法である。
【００１１】
現在前記通信網に訪問者として登録されているあるユーザからの要求であって、その訪問中のユーザが関係しているデータパッケージについて前記通信網に向けて移動するようにとの要求に応答して、その訪問中のユーザの識別子により該位置レジスタにアクセスする段階と、もし対応しているエントリィが存在するときは、
それぞれの網識別子を検索読出す段階と、その訪問中のユーザに関する移動要求を該検索読出した網識別子に対応している該他の通信網に向けて送る段階とを含み、
もしそうでないときは、
少くとも一つの該他の通信網に該訪問中のユーザの関係するデータパッケージを現在記憶している該他の通信網についての網識別子を要求する段階と、
該要求された網識別子を受領すると、該訪問中のユーザの関係する移動要求を該受領した網識別子に対応している該他の通信網に向けて送る段階とを含むことができる。
【００１２】
この発明の第二の特徴によると、複数の他の通信網と相互接続された、ある通信網を動作する方法が提供されていて、
該他の通信網の少くとも一つは請求項１記載の方法で動作しており、訪問者として前記通信網に現在登録されているユーザからの該ユーザの関係しているデータパッケージを前記通信網に向けて移動するようにとする要求に応答して、
該他の通信網の中の少くとも一つに、該訪問中のユーザの関係しているデータパッケージを現在記憶している該他の通信網についての網識別子を要求する段階と、
該要求された網識別子を受領すると、該受領した網識別子に対応している該他の通信網に向けて、該ユーザの関係しているデータパッケージを前記通信網に向けて移動するようにとの要求を送る段階とを含む方法となっている。
【００１３】
この要求を送る段階は、該訪問中のユーザに関する問合せメッセージをその訪問中のユーザのグローバルアドレスに対応している前記他の通信網の中の該一つに向けて送ることを含んでいてよい。
【００１４】
代わって、あるいは追加的に、この要求を送る段階は該訪問中のユーザに関する問合せメッセージを前記他の通信網の全員に向けて送ることを含んでいてよい。
【００１５】
受領したユーザのデータパッケージから命令を検索読出す段階と、該命令に従って、該通信網の所定の組の各々について修正変更を効果あるものとする段階とを含むことができる。
【００１６】
好ましいのは修正変更を効果あるものとする段階は、メッセージを生成することと、そのメッセージを、命令を検索読出す段階を実行する該通信網以外の通信網の前記所定の組の各々に向けて、送ることとを含んでいる方法である。
【００１７】
前記命令は、それぞれの記憶された網識別子を命令を検索読出す該段階を実行する網の識別子に変更することによりそれぞれの位置レジスタを修正変更するための命令を含んでいるのが好い。
【００１８】
代わって、あるいは追加的に、前記命令は呼処理用情報を記憶し、かつ該それぞれの位置レジスタへのユーザ識別子エントリィと関係付けて該それぞれの位置レジスタを修正変更するための命令を含んでおり、この関係付けは、該受領したデータパッケージと対応がとれていて、しかも該記憶された呼処理用情報と該エントリィとが関係するものとする。
【００１９】
この発明の第三の特徴によると、複数の他の通信網と相互に動作し、かつグローバルアドレス用機構を採用するようにされた通信網が提供されていて、
ユーザが関係するデータパッケージを記憶し、また、それぞれの前記ユーザが関係するデータパッケージの位置についての前記通信網に向けた最新の通知を表わしているそれぞれの網識別子とユーザ識別子とを各々が含んでいるエントリィとを記憶するための手段と、
被呼ユーザに向けて発生された呼に応答して、該被呼者の識別子に従って該記憶するための手段にアクセスし、該それぞれの網識別子を検索読出し、また該被呼ユーザについての宛先網が該検索読出された網識別子に対応している通信網であるということに基づいて接続を設定するようにされた手段と、
ある特定のユーザに関する移動要求を前記他の通信網から受領するのに応答して、該特定されたユーザが関係するデータパッケージをメモリから検索読出し、かつ該検索読出したデータパッケージを前記他の通信網に向けて送るようにされた手段とを備えた通信網となっている。
【００２０】
好ましいのは、メッセージ記録用システムを有していて、しかもその者のデータパッケージが前記記憶用手段内に現在記憶されている特定のユーザについて、該メッセージ記録用システムにより記録されたメッセージに応答して該特定のユーザのデータパッケージ内部に該記録されたメッセージを組入れるようにされた手段を含むことである。
【００２１】
また、前記他の通信網から該特定されたユーザに関係しかつ位置更新情報を含んでいるメッセージを受領するのに応答して、それぞれの網識別子を前記他の通信網についての識別子に変更するようにされているのが好い。
【００２２】
ユーザのデータパッケージが呼処理用情報を組入れているという状態では、該特定されたユーザに関し、かつ呼処理用情報を含んでいるメッセージの受領に応答して、該特定されたユーザの識別子と関係している該記憶用手段内に該呼処理用情報を記憶するようにされた手段を含むことができて、
もともとの発生された呼に応答するようにされた前記手段は、さらに該被呼ユーザと関係する呼処理用情報を検索読出し、かつ該検索読出された呼処理用情報に従って接続設定を実行することにより応答するようにされていてよい。
【００２３】
好ましいのは、ある訪問中のユーザからの、該訪問中のユーザの関係するデータパッケージを前記通信網に向けて移動するようにとの要求に応答して、該訪問中のユーザの識別子に従って該記憶用手段にアクセスし、
もし対応しているエントリィが存在するときは、
それぞれの網識別子を検索読出して、かつ該検索読出しされた網識別子に対応している該他の通信網に向けて該訪問中のユーザに関する移動要求を送り、
もしそうでないときは、
少くとも一つの該他の通信網に該訪問中のユーザの関係するデータパッケージを現在記憶している該他の通信網についての網識別子を要求し、該要求された網識別子を受領すると、該訪問中のユーザの関係する移動要求を該受領した網識別子に対応している該他の通信網に向けて送るようにされている手段を含むことである。
【００２４】
この発明の第四の特徴によると、複数の他の通信網と相互に動作するようにされた通信網が提供されていて、前記他の通信網はこの発明の第三の特徴に従うものであり、また、
前記通信網は、前記通信網に訪問者として現在登録されているあるユーザからの、該ユーザの関係するデータパッケージを前記通信網に向けて移動するようにとの要求に応答して、
該他の通信網の少くとも一つに、該訪問中のユーザの関係するデータパッケージを現在記憶している該他の通信網についての網識別子を要求し、該要求された網識別子を受領すると、該受領した網識別子に対応している該他の通信網に向けて、該ユーザの関係しているデータパッケージが前記通信網に向けて移動されるようにとの要求を送るようにされた手段を備えている。
【００２５】
前記網識別子についての該他の通信網の少くとも一つから要求が作られるようにされていて、このためには該訪問中のユーザに関する問合せメッセージを該訪問中のユーザの該グローバルアドレスに対応している前記他の通信網の該一つに向けて送るようにされている。
【００２６】
代ってあるいは加えて、前記網識別子について該他の通信網の少くとも一つの前記要求が前記他の通信網のいずれに対しても該訪問中のユーザに関する問合せメッセージを送ることによって作られるようにされていてよい。
【００２７】
受領したユーザのデータパッケージから命令を検索読出すようにされ、またこれらの命令に従って、該通信網の所定の組の各々についての修正変更を効果あるものとするようにされた手段が含まれていてよい。
【００２８】
該検索読出し及び修正変更用の手段はメッセージを生成し、該メッセージを自己以外の他の該通信網の前記所定の組の各々に向けて送ることによって前記修正変更を効果あるものとするようにされていてよい。
【００２９】
該検索読出し及び修正変更用手段は、該命令に従って、それぞれの記憶された網識別子をそれ自身の網識別子に変更することによって、それぞれの記憶用手段を修正変更するようにされているのが好ましい。
【００３０】
該命令が呼処理用情報を記憶するための命令を含んでいる状態にあっては、該検索読出し及び修正変更用手段は関係している記憶手段を、該受領したデータパッケージに対応している記憶手段内のユーザ識別子エントリィと該記憶された呼処理用情報とを関係付けるようにするために、修正変更するようにされていてよい。
【００３１】
【実施例】
添付の図面を参照し、例を挙げてこの発明の特定の実施形態について説明して行く。
【００３２】
図１には、ＧＳＭ網（フランス語のＧｒｏｕｐｅ Ｓｐｅｃｉａｌｅ Ｍｏｂｉｌｅに由来する。移動通信用グローバスシステム網と同義で使われることもある）が示されていて、それが四つのサブシステム、すなわちモバイルステーションサブシステム（ＭＳＳ）１２と、ベースステーションサブシステム（ＢＳＳ）１４と、ネットワーク及びスイッチングサブシステム（ＮＳＳ）１６と、オペレーションサブシステム（ＯＳＳ）１８とによって構成されている。ＧＳＭシステムは当業者にとっては良く知られているものであり、詳細な記述はしないこととする。が、もしもっと情報を必要とする読者がいれば、ＧＳＭについての多数の出版物を見付けることができるのであって、とくに、“Ｔｈｅ ＧＳＭ Ｓｙｓｔｅｍ ｆｏｒ Ｍｏｂｉｌｅ Ｃｏｍｍｕｎｉｃａｔｉｏｎｓ”ｂｙ Ｍ．Ｍｏｕｌｙ ａｎｄ Ｍ．−Ｂ．Ｐａｕｔｅｔ，１９９２年著者らにより刊行、がある。
【００３３】
ＭＳＳ１２は、複数の通常のモバイルステーション２０を備えており、これがモバイル電話とか、あるいは単にモバイルと呼ばれてもいる。
【００３４】
ＢＳＳ１４は、複数のベース（基地）トランシーバステーション２２と複数のベース（基地）制御器２４とを備えているが、制御器２４の一つだけが示されている。各ベースステーション制御器２４はＮＳＳ１６と複数のベーストランシーバステーション２２とに接続されている。
【００３５】
ＮＳＳ１６は交換システム２６とユーザ及び端末装置データベース２８とを備えている。交換システム２６は複数の相互接続されたモバイルサービススイッチングセンタ３０（その一つだけが示されている）を備えていて、これらのセンタはユーザ及び端末データベース２８に接続されている。
【００３６】
ＯＳＳ１８はオペレーション及び保守センタ３２を備えていて、このセンタは、データ網３４を経由して、ＢＳＳ１４とＮＳＳ１６とに接続されている。
【００３７】
ユーザ及び端末装置データベース２８はホームロケーション（位置）レジスタ３６と、ビジタ（訪問者）ロケーション（位置）レジスタ３８と、装置アンデンティティ（識別子）レジスタ４０とを備えている。
【００３８】
ホームロケーションレジスタ３６はデータベースであり、そこにはユーザに特有の情報であって、遠隔通信サービスの用意と現在の位置とに関するものを含んでおり、前者（遠隔通信サービスの用意）に関する情報は与えられた遠隔サービス（テレサービス）もしくはベアラサービスがあるユーザのために用意できるかどうかを識別するものとなっている。
【００３９】
訪問者位置（ビジタロケーション）レジスタ３８は、通常は異なるホームＧＳＭ網で登録されているユーザと、現在はそのＧＳＭ網１０で登録されている、すなわちローミング構成に置かれている、ユーザとについての加入データを一時的に記憶する。
【００４０】
訪問中の（ビジテング）ユーザがＧＳＭ網１０の動作領域内部に到来し、そのＧＳＭサービスをいくつか使用したいとするときは、その者は自分のモバイル電話２０のスイッチをオンとする。モバイル電話２０は既知のやり方で登録プロセスを実行し、このプロセスではそのユーザのモバイルステーション国際ＩＳＤＮ番号と、国際モバイルステーションアイデンティティ（識別子）とが加入者アイデンティティモジュール（ＳＩＭ）カードでモバイル電話２０内部にあるものから検索読出しされる。この情報から、ユーザのホームＧＳＭ網が確かめられて、訪問した網がメッセージをホーム網に送る。ホーム網はそのホーム位置レジスタにアクセスし、そのユーザの加入データのサブセット（一部の組）を検索読出し、また加入者データの検索読出ししたデータを訪問した網の訪問者位置レジスタ３８に向けて送って、一時的な記憶にあてるようにすることによって応答をする。一般に、このサブセットはそのユーザについての認証にあてるためのセキュリティデータを含んでいる。
【００４１】
既存のＧＳＭシステムでは、ユーザはメッセージを記録するための応答用サービスである、例えばボイスメール（Ｖｏｉｃｅｍａｉｌ）に加入することができ、これは呼がその者のモバイル電話に配信できないときに使用され、この場合に、そのユーザはそのサービスについてのアクセス番号を、適切な認証と一緒に呼出すことによって記録されたメッセージを検索読出しすることが出来ることは知られているところである。このメッセージはユーザのホームＧＳＭ網におけるボイスメールシステム４２内に記録され、ユーザがよその（外国の）ＧＳＭ網へロームしてその者のメッセージを検索読出しするとすると、メッセージはユーザによる要求で個別に生成されて、国際リンクを介してよそのＧＳＭ網へ実施例時間で中継され、ボイスメールシステム４２への検索読出し呼の間にそれが行われる。
【００４２】
図２はＧＳＭ網１００のブロック図であり、これはＧＳＭ網１０と類似している。この構成は対応しているサブシステムＭＳＳ１１２と、ＢＳＳ１１４と、ＮＳＳ１１６と、ＯＳＳ１１８とともにその部品である１２０ないし１３４と１４０と１４２とを備えており、これらが図１の網の部品２０ないし３４と４０と４２とに対応しており、以下に述べるようにこの発明に従って修正変更が加えられている。
【００４３】
図３では、ユーザ及び端末装置データベース１２８が示されており、これはＮＳＳ１１６の一部分となっている。訪問者（ビジタ）位置（ロケーション）レジスタに代って、ここにはプロキシ（代理）ロケーションレジスタ（ＰＬＲ）１４８があり、またデータメモリ１５０には関係するデータメモリマネージャ１５２が備えてあって、これがＧＳＭ網１００に現在登録されている各ユーザ（すなわちホームユーザと訪問中のユーザの両方の各々について）データメモリ１５０についてのそれぞれのメモリ領域１５４を動的に割当てるようにされている。ホーム位置レジスタに代って、その網と関係しているモバイル電話番号を割当てられたユーザの割当てレジスタ１４６がある。したがって、いずれものＧＳＭ網１００がモバイル電話番号からどの網がその番号を割当てたかを確かめることができ、このような割当て用網はそのモバイルのホームネットワーク（網）と呼ばれ、またこの番号付け機構はグローバルアドレス用機構（ｇｌｏｂａｌ ａｄｄｒｅｓｓｉｎｇ ｓｃｈｅｍｅ）と呼ばれている。ＰＬＲ１４８とデータメモリ１５０とは一緒になってこの発明の記憶用（メモリ）手段を構成している。
【００４４】
この実施例では、ＧＳＭ網１００はＮＳＳ１１６へリンクされたボイスメールシステム１４２と、データメモリマネージャ１５２とを備えている。ボイスメールサービスに加入している現在登録している各ユーザについては、関連する加入情報が割当てレジスタ１４６内に記憶されたそれぞれのユーザが関係するプロフィル内に記録されている。
【００４５】
呼の試行がこのような現在登録されているユーザに対してされたと仮定する。ＮＳＳ１１６はそれぞれのユーザが関係するプロフィルにアクセスして、そのユーザがその呼をどのように処理することを求めているかを確めるようにし、それがボイスメールサービスに向けて配信されるべきことを発見すると、その呼をボイスメールシステム１４２に向けて接続する。
【００４６】
正常のやり方では、呼者は被呼ユーザのためにメッセージを残し、このメッセージがボイスメールシステム１４２の動的に割当てられたメモリ領域内に記憶されて、検索読出しの目的でその被呼ユーザについての識別手段と関係付けられている。
【００４７】
ＮＳＳ１１６がこの呼をボイスメールシステム１４２に接続するときには、またＮＳＳはデータメモリマネージャ１５２を変更し、これがその被呼ユーザについてのボイスメールシステム１４２へ向けて検索読出し要求を送ることにより応答する。ボイスメールシステム１４２がそのメッセージについての記録用プロセスを完了すると、データメモリマネージャ１５２に通知して、そのメッセージのコピイを送る。もしこれがそのユーザについてのデータメモリ１５０内に記憶されることになる第一のメッセージであるとすると、データメモリマネージャ１５２はそれぞれのメモリ領域１５４を割当てて、そのメモリ領域にメッセージを書込む。データメモリマネージャ１５２は、既知のやり方で、このメッセージをシーケンス識別手段と関係付ける。シーケンスメッセージはそれぞれのメモリ領域１５４に書込まれて、データメモリマネージャ１５２はそれぞれのメモリ領域１５４内のすべてのメッセージを含んでいるデータオブジェクトを作ることができる。ここでの記述の目的に合わせて、このようなデータオブジェクトをモバイルホーム（ＭＨ；Ｍｏｂｉｌｅ Ｈｏｍｅ）と呼ぶこととする。各ＭＨはそれが関係付けられているユーザにとってユニークなものとなっている。
【００４８】
ＰＬＲ１４８はあるユーザについてのＭＨの現在位置を記録する。ＧＳＭ網１００はすべてのユーザがそれぞれのＭＨをもつように組織化するようにできる。これに代って、あるＭＨはユーザの要求のあるときに限り作られ、例えばユーザがほーむ網から外へロームするときのユーザに限りＭＨを求めるものとし、この場合にＧＳＭ網１００は混成（ハイブリッド）構成のものとなって、そこにはホーム位置レジスタとＰＬＲとがあることになる。
【００４９】
一つの変形では、講座区のメッセージが個々のメモリ領域１５４に書込まれて、データメモリマネージャ１５２はそのユーザと関係しているすべてのメッセージの記録を保存する。この場合に、データメモリマネージャ１５２は、こういった個々のメモリ領域１５４内のメッセージのすべてを含んでいる単一のデータオブジェクトを作ることができる。別の変形では、データメモリ１５０とデータメモリマネージャ１５２とはデータオブジェクトマネージャ（図示せず）によって置換され、データオブジェクトマネージャは、コマンドに従ってボイスメールシステム１４２からユーザのメッセージを検索読出して、こういった検索読出ししたメッセージのすべてを備えているデータオブジェクトを作るようにされている。
【００５０】
第一の例のシナリオでは、多数の相互接続されたＧＳＭ網１００−１，１００−２，１００−３などがあって、“グローバル（全世界的な規模の）”モバイル通信カバー範囲（カバレッジ）を提供しているとする。ここで“グローバル”というのは文言通りの意味で使用されているものではなく、このカバー範囲が世界中に拡がっているということと理解されたい。各ＧＳＭ網はその国の主要都市の識別手段（アイデンティファイヤ）（及びその国の時間帯域（タイムゾーン）を応用可能な場合には）有していて、例えば、ロンドン（１００−１），東京（１００−２），ニューヨーク（１００−３）などの識別手段があり、また便宜上、ＧＳＭ網はここではそれらの都市の識別手段と同義語として呼ばれており、例えば、もしロンドンＧＳＭ網１００−１内にＭＨが置かれているとすると、これがロンドンに置かれているＭＨとして代りに呼ばれたり、あるいは単に“ロンドンで（イン・ロンドン）”と呼ばれ、これに対応して、関係しているユーザはロンドンでホストされていると呼ばれる。同じように、現在、ロンドンＧＳＭ網１００−１で登録されているユーザは“ロンドンで登録された”とか“ロンドンで”とかと言われる。
【００５１】
ユーザＡが前にはロンドンでホストされていて、その者のユーザ識別子（アイデンティティ）“Ａ”を有していて、それがＰＬＲ１４８内にロンドンに置かれたその者ＭＨを現在持っているとして記録されていて、その者が日本へ旅をして、その者のモバイル電話のスイッチをオンとして東京で登録することを仮定する。東京で登録をすると、ユーザＡはその者のボイスメールメッセージを検索読出ししたいと決めて、東京への要求（リクエスト）を行ない、その者のＭＨがその者の現在位置へ移動されるように求める。
【００５２】
東京はそれぞれのＰＬＲ１４８を有していて、そこにはユーザＡについてのエントリィを含み、その者のＭＨの現在位置をロンドンとして記録している。東京はそのＰＬＲ１４８にアクセスして、ユーザＡのＭＨがロンドンにあることを確めて、問合せメッセージをロンドンに送り、ＭＨが実際にロンドンにあることをチェックし、次にロンドンから肯定的な応答を受ると、ロンドンに対してＭＨを東京宛に送るように指令する移動メッセージを送る。変形としては、ロンドンが、ＭＨを送ることによって問合せメッセージの受取りに応答し、移動メッセージが省略される。ＰＬＲ１４８はそれぞれの網の入口点に置かれているので、ＭＨを遠隔網へ向けて移動するようにとのユーザ要求に応答するときに伝達遅延を最小とする。
【００５３】
移動メッセージを受取ると、ロンドンは、そのデータマネージャ１５２を用いて、ユーザＡのＡＨを、記憶したボイスメールメッセージとＰＬＲ更新情報とに関するユーザＡのプロフィルデータの一部とから作り、このＭＨを東京へ送ることになる。ＰＬＲ更新情報は、ＭＨがある網から他の網へ移動するときにどの網が知らせを受けることになるかを規定するもので、この例では、仮りにユーザＡがその者のＰＬＲ更新情報を“ロンドン”、“東京”、及び“ニューヨーク”となるように選んだとしている。したがって、ＰＬＲでこの三つの網だけの中のものがユーザＡのＭＨの現在位置を記録している。ユーザＡはその者のＰＬＲ更新情報についての特定の網を選ぶことになるが、そのときの基礎となるのはその者の到来呼の大部分が発呼される（オリジネートする、呼を発生すること）と予期されるところである。しかしながら、その者が特定の網を選びたくないのであれば、その者は“すべての”網を選ぶことができるが、これは効率的にはならない。
【００５４】
東京はユーザＡのＭＨからＰＬＲ更新情報を検索読出して、更新メッセージをロンドンとニューヨークとに向けて送り、それによってＰＬＲ１４８の中のユーザＡについてのそれぞれのエントリィを“ロンドン”と“東京”で置換えることによって更新できるようになり、また自分のＰＬＲ１４８も更新することになる。
【００５５】
ユーザＡはここでボイスメールサービスにアクセスできて、東京はＭＨ内のプロフィルデータ中に保持されている言語識別手段に対応している言語で命令を用意することになる。ユーザＡはその者のメッセージを現在東京に置かれているＭＨから直接検索読出しすることができる。もしこのＭＨがロンドンに置かれていることを思い起させたとすると、そのときはその者のメッセージの検索読出しは、例えば伝送輻輳によって影響を受けることになりうる。
【００５６】
もしユーザＢが、現在はニューヨークに登録されていて、そこでユーザＡに向けて発呼するとして、ニューヨークはそのＰＬＲ１４８を参照し、ユーザＡのＭＨが現在東京にあることを確めて、ユーザＡとの接続を設定しようと試みる。もしユーザＡが利用可能であれば、その呼はユーザＡに対してニューヨークから東京までの単一の伝送リンク上で接続される。もしユーザＡが利用可能でなければ、ユーザＢはユーザＡのＭＨ内にボイスメールメッセージを効果的に残すことができて、ユーザＡがその者のボイスメールメッセージに次にアクセスするときにローカルな検索読出しにあてるようにする。こうして、いずれかのユーザＡの更新網で現在登録している者は最少の長さの伝送リンク上でユーザＡに接続することができるようになり、例えば東京にいる発呼ユーザＣにとっては、その呼が東京内部に留まっているローカルな呼となる。
【００５７】
別な好都合なことは、もし東京に居るユーザＤがユーザＡに向けて呼を発するとして、東京はそのＰＬＲ１４８にアクセスして、ユーザＡについてのエントリィが存在するかどうかを見て、ユーザＡが現在東京に居ることを見付けて、それにより接続がローカルな呼である手段により行うことができる。
【００５８】
ここで第一の変形を仮定し、ユーザＡのＰＬＲ更新情報が“ロンドン”と“ニューヨーク”であるとする。すなわち、東京のＰＬＲは更新されていないとし、それにより、ユーザＡがその者のＭＨを東京に移動するように求めるときには、其の者の現在のＭＨ位置（ロンドン）は東京のＰＬＲ１４８内では見付けることができない。同じような状態がＰＬＲを装備していない変形の東京網についてももたらされる。
【００５９】
そこには多数のオプション（選択肢）が存在する。第一のオプションでは、東京はユーザＡの電話番号の解析によって、その者のホーム網の識別子を確めて、そのホーム網に向けて問合せメッセージを送って、そのＭＨがその網内にあることをチェックするようにする。もし、ホーム網がそのＭＨが記憶していないことを返事すると、東京はその問合せメッセージをそのホーム網以外のすべてのＧＳＭ網に向けて放送（同報通信）する。問合せメッセージを受領する対象となるＭＨを記憶しているいずれかの網はその網内にそのＭＨがあることを示す応答メッセージを送ることによって応答することになる。第二のオプションでは、できるだけ短時間にＭＨの位置を見付けるために、こういった問合せ機能が組合されて、東京が単一の放送問合せメッセージをすべてのＧＳＭ網に送るようにしている。
【００６０】
この変形では、東京がユーザＡのＭＨ（モバイルホームと呼ぶデータオブジェクト）をロンドンから受領するときには、ニューヨークとロンドンだけがそのＰＬＲ１４８を更新することになる。そこで、ユーザＤがユーザＡに向けて発呼するときは、東京のＰＬＲはユーザＡについての現在の位置情報を何も有していないで、標準的な呼設定プロセスが始動され、そこでは東京が呼をユーザＡのホーム網に向けて行ない、その呼が東京へと“トロンボーン作用”で戻される。このような呼は、二つの長距離国際ルートを包含することが理由で高価なものとなるだけでなく、併せて設定時間も著しく長くなり、その理由としてホーム網がしなければならない呼の処理があげられる。したがって、トロンボーン式の呼を避けるという利点は、遠隔網がそのＰＬＲ１４８を更新して有しているときに得られる。
【００６１】
ＭＨは呼処理に関するユーザが関係したプロフィルの一部を含むことができ、例えば一日のうちの時間により、進行する接続を阻止するための“Ｄｏ Ｎｏｔ Ｄｉｓｔｕｒｂ（邪魔をしないで下さい）”データを処理できる。この処理には、ＰＬＲが置かれている時間ゾーンか、ＭＨが置かれている時間ゾーンかを用いられ、また、別な例では地理的計数値かホップ計数値（ホップ（区間）カウントメトリックス）かを用いて距離しきい値を基礎としての進行する接続を阻止するためのデータを処理できる。そしてこの場合には、この呼処理データがユーザのＰＬＲ更新情報について各特定された網に向けて送られるようにできて、それぞれのＰＬＲ１４８内に記憶される。こうして、上述の例では、ユーザＢがニューヨークで東京に居るユーザＡに向けて発呼するときには、ニューヨークＰＬＲがユーザＡの現在の位置を見付けるためにアクセスされて、ユーザＡの呼処理用データが検索読出しされて、ニューヨークが呼を処理するために進行できるかどうかをみるために解析がされる。解析の結果がその呼は東京へ向けて直接接続されるものでないとすると、この呼処理データはその呼がニューヨークのボイスメールシステムへ接続されることを用意していることであるやもしれない。ユーザＡの呼処理用データがニューヨークＰＬＲ内に存在することは遠隔の存在（リモートプレゼンス）と呼ばれる。
【００６２】
ユーザＡは、その者のＰＬＲ更新情報について特定された網の異なるものについての異なる呼処理用データを選ぶことができる。このような区別を付けたリモートプレゼンスは網位置とか他の戦略的要因（ストラテジックファクタ）を基礎としている。
【００６３】
上記したところは、ＧＳＭ網のユーザが一つの網から他の網へ移動するというコンセプト（概念）に基づいているが、この発明はまたソフトウェアエージェントにも応用可能であり、このエージェントは地球規模（グローバルスケール）上での相互接続されたデータ網間で移動するものであり、またこのようなソフトウェアエージェントはこの発明のモバイル（移動）オブジェクトを構成している。移動しているソフトウェアエージェントは通信の相手となることができる他のソフトウェアエージェントを望んでいて、それにより、そのソフトウェアエージェントが関係するＭＨを有していて、データ網がＰＬＲを有し、またこのようなソフトウェアエージェントが遠隔網へ移動するときには、そのＭＨが前のホスト網から送られるようにするために送って、そのデータ網の全部または選ばれた組のＰＬＲを更新する。こうして、ここで使用されている用語“ユーザ”はこのようなソフトウェアエージェントを包含しているものとされる。
【００６４】
文脈中で明白に別途求めていない限り、本明細書（特許請求の範囲を含む）でいう“Ｃｏｍｐｒｉｓｅ”“Ｃｏｍｐｒｉｓｉｎｇ”など（含む、備えるなど）は排除するという意味の反対概念を意味しており、“含んでいて、それに限定されない”の意である。
【図面の簡単な説明】
【図１】
ＧＳＭ網の若干の部品のブロック図。
【図２】
この発明による網の若干の部品のブロック図。
【図３】
図２の網の一部のブロック図。
【図１】
2004535689.tif 000003
【図２】
2004535689.tif 000004
【図３】
2004535689.tif 000005
【国際公開パンフレット】
2004535689.tif 000006
2004535689.tif 000007
2004535689.tif 000008
2004535689.tif 000009
2004535689.tif 000010
2004535689.tif 000011
2004535689.tif 000012
2004535689.tif 000013
2004535689.tif 000014
2004535689.tif 000015
2004535689.tif 000016
2004535689.tif 000017
2004535689.tif 000018
2004535689.tif 000019
2004535689.tif 000020
2004535689.tif 000021
2004535689.tif 000022
2004535689.tif 000023
2004535689.tif 000024
2004535689.tif 000025
2004535689.tif 000026
2004535689.tif 000027
2004535689.tif 000028
2004535689.tif 000029
2004535689.tif 000030
【国際公開パンフレット（コレクトバージョン）】
2004535689.tif 000031
2004535689.tif 000032
2004535689.tif 000033
2004535689.tif 000034
2004535689.tif 000035
2004535689.tif 000036
2004535689.tif 000037
2004535689.tif 000038
2004535689.tif 000039
2004535689.tif 000040
2004535689.tif 000041
2004535689.tif 000042
2004535689.tif 000043
2004535689.tif 000044
2004535689.tif 000045
2004535689.tif 000046
2004535689.tif 000047
2004535689.tif 000048
2004535689.tif 000049
2004535689.tif 000050
2004535689.tif 000051
2004535689.tif 000052
2004535689.tif 000053
2004535689.tif 000054
2004535689.tif 000055
2004535689.tif 000056
【国際調査報告】
2004535689.tif 000057
2004535689.tif 000058
2004535689.tif 000059